(57)【要約】【課題】簡易な構造で、経時によっても、マグネットシートが物品から容易に剥がれることがないマグネットシート取付構造を提供する。【解決手段】マグネットシート１が、合成樹脂に磁性粉を混入し着磁してなるシート状であるマグネットシート本体１１の一部に切り込みにより係合片２を設ける。マグネットシート１を取り付ける物品３の表面に係合孔４を形成する。係合片２を内方に変形させ且つ係合片２を係合孔４に係合させる。係合片２の外周が、マグネットシート本体１１と分離可能な切り込み部２１と、マグネットシート本体１１と接続される接続部２２とからなる。係合片２が乗り越え係止可能な係止壁部４１を、係合孔４の内壁に設ける。【選択図】  図２
2009111185.tif 000002
【特許請求の範囲】
【請求項１】
合成樹脂に磁性粉を混入し着磁してなるシート状のマグネットシートを、物品表面に取り付けるマグネットシート取付構造であって、マグネットシート本体の一部に切り込みにより係合片を設け、前記マグネットシートを取り付ける物品の表面に係合孔を形成し、前記係合片を内方に変形させ且つ前記係合片を係合孔に係合させてなることを特徴とするマグネットシート取付構造。
【請求項２】
前記係合片の外周が、マグネットシート本体と分離可能な切り込み部と、マグネットシート本体と接続される接続部とからなり、前記係合片が乗り越え係止可能な係止壁部を、前記係合孔の内壁に設けた請求項１記載のマグネットシート取付構造。
【請求項３】
マグネットシート本体に複数の係合片を形成し、前記各々係合片が係止可能な係止壁部を複数形成した請求項２記載のマグネットシート取付構造。
【発明の詳細な説明】
【技術分野】
【０００１】
本発明は、マグネットシート取付構造に関する。詳細には、金属板やホワイトボード等の被吸着面に着脱自在に吸着可能なマグネットシートを、物品（例えば、筆記具、筆記具保持具、筆記具収容具、玩具、挟持具、掲示具等）に取り付けるマグネットシート取付構造に関する。
【背景技術】
【０００２】
従来、特許文献１及び特許文献２には、平板状のマグネット（本願のマグネットシートに相当）を、キャップ（本願の物品に相当）の平面状の取付部に貼着することが記載されている。
【０００３】
【特許文献１】特開２００１−２１３０８８号公報
【特許文献２】特開２００６−１１６９０１号公報
【発明の開示】
【発明が解決しようとする課題】
【０００４】
前記従来のマグネットシート取付構造は、マグネットシートと物品とが、通常、接着剤または両面テープを介して貼着される。そのため、前記従来のマグネットシート取付構造は、経時により、貼着力が低下し、マグネットシートが物品から剥がれるおそれがある。
【０００５】
本発明は、前記従来の問題点を解決するものであって、簡易な構造で、経時によっても、マグネットシートが物品から容易に剥がれることがないマグネットシート取付構造を提供しようとするものである。
【課題を解決するための手段】
【０００６】
本願の第１の発明は、合成樹脂に磁性粉を混入し着磁してなるシート状のマグネットシートを、物品表面に取り付けるマグネットシート取付構造であって、マグネットシート本体１１の一部に切り込みにより係合片２を設け、前記マグネットシート１を取り付ける物品３の表面に係合孔４を形成し、前記係合片２を内方に変形させ且つ前記係合片２を係合孔４に係合させてなること（請求項１）を要件とする。
【０００７】
前記第１の発明のマグネットシート取付構造によれば、簡易な構造で、強固にマグネットシート１を物品３表面に取り付けることができ、経時によっても、マグネットシート１が物品３から容易に剥がれることがない。
【０００８】
本願の第２の発明は、前記第１のマグネットシート取付構造において、前記係合片２の外周が、マグネットシート本体１１と分離可能な切り込み部２１と、マグネットシート本体１１と接続される接続部２２とからなり、前記係合片２が乗り越え係止可能な係止壁部４１を、前記係合孔４の内壁に設けたこと（請求項２)を要件とする。
【０００９】
前記第２の発明のマグネットシート取付構造によれば、係合片２を係合孔４に向かって外部から押し込むことにより、切り込み部２１がマグネットシート本体１１から分離し、係合片２が接続部２２に沿って折れ曲がり、係合片２の外周縁部（即ち係合片２の接続部２２以外の外周縁部）が、係合孔４の内壁の係止壁部４１と乗り越え係止する。それにより、マグネットシート１の取り付けが容易となる。
【００１０】
本願の第３の発明は、前記第２の発明において、マグネットシート本体１１に複数の係合片２を形成し、前記各々係合片２が係止可能な係止壁部４１を複数形成したこと（請求項３）を要件とする。
【００１１】
前記第３の発明のマグネットシート取付構造によれば、複数箇所でマグネットシート１が取り付けられるため、より一層、強固な取り付けが可能となる。
【発明の効果】
【００１２】
本発明のマグネットシート取付構造は、簡易な構造で、強固にマグネットシートを物品表面に取り付けることができ、経時によっても、マグネットシートが物品から容易に剥がれることがない。
【発明を実施するための最良の形態】
【００１３】
本発明のマグネットシート取付構造の実施の形態を図１乃至図５に示す。
本実施の形態のマグネットシート取付構造は、合成樹脂製の基材に磁性粉を混入し着磁してなるシート状のマグネットシート１を、筆記具のキャップ３（物品）に取り付ける構造である。
【００１４】
前記マグネットシート本体１１の一部には、打ち抜き加工等により切り込み部２１が設けられ、それにより、係合片２が形成される。前記係合片２の外周は、マグネットシート本体１１と分離可能なＵ字状またはコ字状の切り込み部２１と、マグネットシート本体１１と接続される接続部２２とにより構成される。前記係合片２の一部は接続部２２によりマグネットシート本体１１と接続され、前記係合片２の他の部分は、切り込み部２１によりマグネットシート本体１１と分離可能である。
【００１５】
前記マグネットシート本体１１は、合成樹脂製の基材により可撓性を有し、前記係合片２は、内方に変形可能である。
【００１６】
本実施の形態では、マグネットシート本体１１の中心線に対して左右対称に二つの係合片２が形成される。前記係合片２の接続部２２は、マグネットシート本体１１の中心線に沿うように近接配置される。
【００１７】
本実施の形態のキャップ３は、筆記具本体５のペン先側に着脱自在である。前記キャップ３の外側面には、平板状のマグネット取付部３３が形成される。前記マグネット取付部３３には係合孔４が貫設される。前記係合孔４の内壁には、マグネットシート１の係合片２の切り込み部２１と乗り越え係止可能な２つの係止壁部４１が形成される。本実施の形態では、各々の係止壁部４１は、係合孔４内壁の、キャップ３の中心線（軸線）から最も離れた位置に形成される。
【００１８】
前記キャップ３は、筆記具本体５との嵌合可能な第１の筒部３１と、フェルトからなるイレーザ６が圧入される第２の筒部３２とを備える。前記第１の筒部３１は、横断面が円形状を有する。前記第２の筒部３２は、横断面が略方形状を有する。キャップ３の第１の筒部３１内には、ペン先５２と接触可能な多孔質体からなるインキ吸収体７が収容される。
【００１９】
本実施の形態では、筆記具本体５は、ホワイトボード用マーキングペンであり、ペン先５２と、該ペン先５２と接続され且つ内部インキが含浸されインキ吸蔵体５３と、内部にインキ吸蔵体５３を収容し且つ前端にペン先５２を備える軸筒５１と、軸筒５１後端に取り付けられる尾栓５４とからなる
【００２０】
前記マグネットシート１をキャップ３のマグネット取付部３３に密接させ、その後、各々の係合片を内方に押し込むことにより、各々の係合片２の接続部２２以外の外周縁部（ここでは切り込み部２１）が、各々の係合孔４の係止壁部４１と乗り越え係止され、キャップ３にマグネットシート１が強固に固着される。
【００２１】
前記係合片２全体の表面積は、マグネットシート１の吸着面の適正な吸着力を得るため、マグネットシート１の吸着面全体の面積の５０％以下に設定される。
【００２２】
前記実施の形態における係合片２の他の例を図６乃至図１０に示す。
図６に示すマグネットシート１は、２つの係合片２がマグネットシート１の中心線の左右対称に設けられ、２つの接続部２２がマグネットシート１の中心線から最も離れた位置に配置される。
【００２３】
図７に示すマグネットシート１は、２つの係合片２がマグネットシート１の中心線上に設けられ、２つの接続部２２がマグネットシート１の中心線の右側と左側に配置される。
【００２４】
図８に示すマグネットシート１は、２つの係合片２がマグネットシート１の中心線上に設けられ、２つの接続部２２が近接した位置に配置される。
【００２５】
図９に示すマグネットシート１は、２つの係合片２がマグネットシート１の中心線上に設けられ、２つの接続部２２が前後に最も離れた位置に配置される。
【００２６】
図１０示すマグネットシート１は、２つの係合片２の各々が、マグネットシート１の中心線に沿う接続部２２と、該接続部２２を跨いで延びる一対の切り込み部２１と、該切り込み部２１の端部を接続する、マグネットシート１本体の外側縁部１１ａとからなる。
【図面の簡単な説明】
【００２７】
【図１】本発明の実施の形態のマグネットシート取付状態を示す正面図である。
【図２】図１のＡ−Ａ線端面図である。
【図３】図１のマグネットシート取付前の状態を示すキャップの正面図ある。
【図４】図１のマグネットシートの正面図である。
【図５】図１のキャップの適用例を示す縦断面図である。
【図６】マグネットシートの他の例を示す正面図である。
【図７】マグネットシートの他の例を示す正面図である。
【図８】マグネットシートの他の例を示す正面図である。
【図９】マグネットシートの他の例を示す正面図である。
【図１０】マグネットシートの他の例を示す正面図である。
【符号の説明】
【００２８】
１  マグネットシート
１１  マグネットシート本体
１１ａ  外側縁部
２  係合片
２１  切り込み部
２２  接続部
３  キャップ（物品）
３１  第１の筒部
３２  第２の筒部
３３  マグネット取付部
４  係合孔
４１  係止壁部
５  筆記具本体
５１  軸筒
５２  ペン先
５３  インキ吸蔵体
５４  尾栓
６  イレーザ
７  インキ吸収体
【図１】
2009111185.tif 000003
【図２】
2009111185.tif 000004
【図３】
2009111185.tif 000005
【図４】
2009111185.tif 000006
【図５】
2009111185.tif 000007
【図６】
2009111185.tif 000008
【図７】
2009111185.tif 000009
【図８】
2009111185.tif 000010
【図９】
2009111185.tif 000011
【図１０】
2009111185.tif 000012